(57)【要約】【課題】ＦＰＤは動作の安定および画像出力の精度確保のためにある温度範囲内の一定温度に保たれねばならないので、周囲に冷却水を循環させて筐体内の温度が一定に保たれている。しかし室内の水蒸気圧が増加して室内の露点温度が上昇しＦＰＤ内の気温を超えると、ＦＰＤの筐体内部で結露が起こりＦＰＤの回路短絡等の故障に至ることがある。【解決手段】水温設定部１８は室温測定器１１から得られる室内の気温から、飽和水蒸気圧曲線記憶部９にあらかじめ記憶された飽和水蒸気圧曲線を参照して室温に対する飽和水蒸気圧を読み出した後、湿度測定器１２から得られる室内の湿度を用いて室内の水蒸気圧を得る。水温設定部１８はさらに飽和水蒸気圧曲線を参照して室内の露点温度を読み出し、自身が熱交換器６に対して設定する水温が室内の露点温度以下にならないように制御する。【選択図】          図１
2008093330.tif 000002
【特許請求の範囲】
【請求項１】
Ｘ線透視および撮影に用いられるＸ線検出器の温度を調整するＸ線検出器用温度調整手段と、前記Ｘ線検出器が設置された室内の気温を測定する気温測定手段と、前記室内の湿度を測定する湿度測定手段と、各気温における飽和水蒸気圧値をあらかじめ記憶している飽和水蒸気圧記憶手段と、前記気温測定手段から出力される室温と前記湿度測定手段から出力される湿度および前記飽和水蒸気圧記憶手段に記憶された前記飽和水蒸気圧値から室内の露点温度を算出して、前記熱媒体の温度が前記露点温度を超えるように制御する制御手段を設けたことを特徴とするＸ線診断装置。
【請求項２】
Ｘ線透視および撮影に用いられるＸ線検出器の周囲に熱媒体を循環させて、前記Ｘ線検出器の温度を前記熱媒体の温度により調整するＸ線検出器用温度調整手段と、前記Ｘ線検出器が設置された室内の気温を測定する気温測定手段と、前記室内の湿度を測定する湿度測定手段と、各気温における飽和水蒸気圧値をあらかじめ記憶している飽和水蒸気圧記憶手段と、前記気温測定手段から出力される室温と前記湿度測定手段から出力される湿度および前記飽和水蒸気圧記憶手段に記憶された前記飽和水蒸気圧値から室内の露点温度を算出して、前記熱媒体の温度が前記露点温度を超えるように制御する制御手段と、前記Ｘ線検出器用温度調整手段により温度調整された熱媒体を前記Ｘ線検出器と前記Ｘ線検出器用温度調整手段との間で輸送巡回させる輸送巡回手段を設けたことを特徴とするＸ線診断装置。
【発明の詳細な説明】
【技術分野】
【０００１】
本発明はＸ線診断装置、特にＸ線検出器用温度調整器を備えたＸ線診断装置に関する。
【背景技術】
【０００２】
最近Ｘ線検出部としてフラットパネル型Ｘ線検出器（以下ＦＰＤと呼ぶ）を用いたＸ線診断装置が増加しているが、ＦＰＤ等の固体検出器については動作の安定および画像出力の精度確保のために２０〜２５°Ｃ等の範囲内の一定温度に保たれる必要がある（例えば特許文献１参照）。そのためＦＰＤ自身からの発熱等による温度上昇を防ぐことを目的として、ＦＰＤ筐体に接して配設された配管に一定温度の水を循環させてＦＰＤ筐体内を一定の温度に保つ方法が一般に行われている。以下図３により、ＣアームＸ線保持装置１に取り付けられたＦＰＤ３を例にして、一般的に行われているＦＰＤ３の冷却方法について説明する。
【０００３】
ＣアームＸ線保持装置１のアーム部の一方の端に取り付けられ、他端に対向して取り付けられたＸ線管２から照射されるＸ線により、その間に配置された被検者４のＸ線画像を取得するＦＰＤ３は、その筐体に外接して配設された冷却用パイプ（図示しない）の両端に接続された配水管５を経由してＦＰＤ温度調整器１０から供給される一定温度の循環水によりたとえば２０〜２５°Ｃの範囲内の一定の温度に保たれる。そのためにＦＰＤ温度調整器１０においては配水管５を経由してＦＰＤ３から戻ってきた循環水の温度を、熱交換器６が有する熱交換機能により、たとえば切替スイッチ等により構成される水温設定部８で設定された２０〜２５°Ｃの範囲内の温度に調整した後、ポンプ７の駆動力により配水管５を経由してＦＰＤ３に再度送出して循環させている。
【特許文献１】特開２００２−２０２３７７号公報
【発明の開示】
【発明が解決しようとする課題】
【０００４】
上述のような構成の温度調整機構によりＦＰＤ筐体内の気温は室温とは無関係に、水温設定部により設定される循環水の水温にほぼ等しい一定の温度に保たれるが、諸々の理由により室内の水蒸気圧が増加して、室内すなわちＦＰＤの筐体内の露点温度が上昇しＦＰＤ筐体内の気温を超えると、ＦＰＤの筐体内部で結露が起こり、ＦＰＤの回路短絡等の故障に至ることがある。本発明は結露の発生を防止することにより、このような故障の発生を防止するものである。
【課題を解決するための手段】
【０００５】
請求項１記載の発明は上記の目的を達成するために、Ｘ線透視および撮影に用いられるＸ線検出器の温度を調整するＸ線検出器用温度調整手段と、前記Ｘ線検出器が設置された室内の気温を測定する気温測定手段と、前記室内の湿度を測定する湿度測定手段と、各気温における飽和水蒸気圧値をあらかじめ記憶している飽和水蒸気圧記憶手段と、前記気温測定手段から出力される室温と前記湿度測定手段から出力される湿度および前記飽和水蒸気圧記憶手段に記憶された前記飽和水蒸気圧値から室内の露点温度を算出して、前記熱媒体の温度が前記露点温度を超えるように制御する制御手段を設けたＸ線診断装置を提供する。
【０００６】
請求項２記載の発明は上記の目的を達成するために、Ｘ線透視および撮影に用いられるＸ線検出器の周囲に熱媒体を循環させて、前記Ｘ線検出器の温度を前記熱媒体の温度により調整するＸ線検出器用温度調整手段と、前記Ｘ線検出器が設置された室内の気温を測定する気温測定手段と、前記室内の湿度を測定する湿度測定手段と、各気温における飽和水蒸気圧値をあらかじめ記憶している飽和水蒸気圧記憶手段と、前記気温測定手段から出力される室温と前記湿度測定手段から出力される湿度および前記飽和水蒸気圧記憶手段に記憶された前記飽和水蒸気圧値から室内の露点温度を算出して、前記熱媒体の温度が前記露点温度を超えるように制御する制御手段と、前記Ｘ線検出器用温度調整手段により温度調整された熱媒体を前記Ｘ線検出器と前記Ｘ線検出器用温度調整手段との間で輸送巡回させる輸送巡回手段を設けたＸ線診断装置を提供する。
【発明の効果】
【０００７】
本発明により、ＦＰＤ温度調整器が自動的に室内の気温と湿度を測定し、室内の露点温度を算出して、ＦＰＤ内の気温が露点温度気温以下にならないように、ＦＰＤに送出する循環水の水温を制御することにより、ＦＰＤの筐体内の結露の発生を防止し、回路短絡等の故障の発生を防止することができる。
【発明を実施するための最良の形態】
【０００８】
本発明の実施例について図１および図２を用いて説明する。ＣアームＸ線保持装置１のアーム部の一方の端に取り付けられ、他端に対向して取り付けられたＸ線管２から照射されるＸ線により、その間に配置された被検者４のＸ線画像を取得するＦＰＤ３は、その筐体に外接して配設された冷却用パイプ（図示しない）の両端に接続された配水管５を経由してＦＰＤ温度調整器２０から供給される一定温度の循環水により、ＦＰＤ３の画像出力の精度を保証するために必要な温度範囲である、たとえば２０〜２５°Ｃの範囲内の一定の温度に保たれる。そのためにＦＰＤ温度調整器２０において配水管５を経由してＦＰＤ３から戻ってきた循環水の温度を、熱交換器６が有する熱交換機能により、水温設定部１８で設定された水温ｔｄ（°Ｃ）に調整した後、ポンプ７の駆動力により配水管５を経由して再度ＦＰＤ３に送出し循環させる。
【０００９】
本発明においてたとえばマイクロコンピュータやメモリ等により構成される水温設定部１８は、電源投入時には熱交換器６に対して、ＦＰＤ３に供給する循環水の水温ｔｄ（°Ｃ）を、たとえば要求温度範囲の下限である２０°Ｃに設定する。そして温度センサにより構成され室内の適当な場所に設置された室温測定器１１から得られる室内の気温ｔｒ（°Ｃ）から、例えばＰ−ＲＯＭ等のメモリにより構成される飽和水蒸気圧曲線記憶部９にあらかじめ記憶された、図２に示す飽和水蒸気圧曲線を参照して室温ｔｒ（°Ｃ）に対する飽和水蒸気圧Ａ（ｍｍＨｇ）を読み出した後、湿度センサにより構成され室内の適当な場所に設置された湿度測定器１２から得られる室内の湿度Ｂ（％）を用いてＤ＝Ａ×Ｂ／１００の計算を行い、室内の水蒸気圧Ｄ（ｍｍＨｇ）を得る。水温設定部１８は室内の水蒸気圧Ｄ（ｍｍＨｇ）から再度飽和水蒸気圧曲線を参照して室内の露点温度ｔｈ（°Ｃ）、すなわちＦＰＤ３の筐体内の露点温度ｔｈ（°Ｃ）を得た後、自身が熱交換器６に対して設定しているＦＰＤ３に供給する循環水の水温、すなわちＦＰＤ３の筐体内の気温ｔｄ（°Ｃ）とＦＰＤ３の筐体内の露点温度ｔｈ（°Ｃ）の差ｔｄ−ｔｈを算出し、これが０以下の場合、０より大きいあらかじめ水温設定部１８内に設定された値になるように、熱交換器６に対して設定している循環水の水温ｔｄ（°Ｃ）を上昇させ、ＦＰＤ３の筐体内の気温ｔｄ（°Ｃ）を上昇させる。水温設定部１８が以上の動作を適当な時間間隔で繰り返し行うことにより、室内の水蒸気圧が増加して露点温度ｔｈ（°Ｃ）が上昇しても、ＦＰＤ３の筐体内の結露の発生が防止され、ＦＰＤ３の回路短絡等の故障の発生が防止される。
【００１０】
上記実施例において水温設定部１８はＦＰＤ３の筐体内の気温ｔｄ（°Ｃ）が露点温度ｔｈ（°Ｃ）以下にならないように熱交換器６に設定する循環水の水温を制御したが、ＦＰＤ３の筐体内の気温ｔｄ（°Ｃ）における飽和水蒸気圧が室内の水蒸気圧Ｄ（ｍｍＨｇ）以下にならないように循環水の水温を制御してもよい。
【００１１】
上記実施例においてＦＰＤ３の温度調整のために用いられる熱媒体を水としたが、油等水以外のものでもよい。
【００１２】
上記実施例においてＣアームＸ線保持装置１に取り付けられたＦＰＤ３について説明したが、ＦＰＤ３はどのようなＸ線診断装置に取り付けられていてもよい。
【産業上の利用可能性】
【００１３】
本発明はＸ線診断装置、特にＸ線検出器用温度調整器を備えたＸ線診断装置に関する。
【図面の簡単な説明】
【００１４】
【図１】本発明による温度調整器の構成例を示す図である。
【図２】本発明における飽和水蒸気圧曲線の参照方法を説明する図である。
【図３】従来の温度調整器の構成例を示す図である。
【符号の説明】
【００１５】
１：ＣアームＸ線保持装置
２：Ｘ線管
３：ＦＰＤ
４：被検者
５：配水管
６：熱交換器
７：ポンプ
８：水温設定部
９：飽和水蒸気圧曲線記憶部
１０：ＦＰＤ温度調整器
１１：室温測定器
１２：湿度測定器
１８：水温設定部
２０：ＦＰＤ温度調整器
【図１】
2008093330.tif 000003
【図２】
2008093330.tif 000004
【図３】
2008093330.tif 000005